(57)【要約】【課題】玄関前等の玄関近傍において、ポスト、インターフォン等と併せて機能的に使用できる玄関エクステリアシステムを提供する。  【解決手段】高フェンス５と、この高フェンス５から離間して設けられて、該高フェンス５より低い低フェンス６とを備え、高フェンス５の上端部でかつ前記低フェンス６より高い位置にはインターフォン１０が取り付けられており、低フェンス６の後ろ側には、独立して設置されたポスト１１がその投入口１１ａを前記低フェンス６より高くして設けられるとともに、低フェンス６より低いメータボックス１２が設けられているので、ポスト１１、インターフォン１０、メータボックス１２等と併せて高フェンス５と低フェンス６とを機能的に使用できる。【選択図】図３
2008038350.tif 000002
【特許請求の範囲】
【請求項１】
建物の玄関近傍に設けられて、玄関近傍のエクステリアを構成する玄関エクステリアシステムにおいて、
面状に形成された高フェンスと、この高フェンスから離間して設けられて、該高フェンスより低い面状に形成された低フェンスとを備え、
前記高フェンスの上端部でかつ前記低フェンスより高い位置にはインターフォンが取り付けられており、
前記低フェンスの後ろ側には、独立して設置されたポストがその投入口を前記低フェンスより高くして設けられるとともに、前記低フェンスより低いメータボックスが設けられていることを特徴とする玄関エクステリアシステム。
【請求項２】
請求項１に記載の玄関エクステリアシステムにおいて、
前記低フェンスは前記高フェンスより前方に、該高フェンスと平行離間して配置されていることを特徴とする玄関エクステリアシステム。
【請求項３】
請求項２に記載の玄関エクステリアシステムにおいて、
前記高フェンスと低フェンスとは、それらの一部が重なるように左右にずれて配置されており、前記重なっている部分における高フェンスと低フェンスとの間に、前記ポストが設置されていることを特徴とする玄関エクステリアシステム。
【請求項４】
請求項１に記載の玄関エクステリアシステムにおいて、
前記高フェンスと低フェンスとは、平面視においてそれらの延長線が交差するようにして配置されていることを特徴とする玄関エクステリアシステム。
【請求項５】
請求項１に記載の玄関エクステリアシステムにおいて、
前記高フェンスと低フェンスとは、平面視においてそれらの延長線が直交するようにして配置されていることを特徴とする玄関エクステリアシステム。
【請求項６】
請求項１〜５のいずれか一項に記載の玄関エクステリアシステムにおいて、
前記高フェンスと低フェンスとは、平面視において湾曲して形成されていることを特徴とする玄関エクステリアシステム。
【請求項７】
請求項１〜６のいずれか一項に記載の玄関エクステリアシステムにおいて、
前記高フェンスと低フェンスとには、それぞれの厚さ方向に貫通する開口が複数形成されていることを特徴とする玄関エクステリアシステム。  
【発明の詳細な説明】
【技術分野】
【０００１】
本発明は、建物の玄関近傍に設けられて、玄関近傍のエクステリアを構成する玄関エクステリアシステムに関する。
【背景技術】
【０００２】
塀、門柱等のように、家屋の周囲に設置されるエクステリア構築物の一例として、特許文献１に記載のものが知られている。
このエクステリア構築物は、アルミニウム合金製押出形材により組まれたフレームの周囲を、前記フレームに固定する木質系セメント板により覆ってなるものである。このような構成のエクステリア構築物は、例えば、家屋の周囲に立設されたり、この立設されたエクステリア構築物と家屋との間に梁を架設するとともに梁によって屋根を支持したりしている。
【特許文献１】特開２００５−２５９２４４号公報
【発明の開示】
【発明が解決しようとする課題】
【０００３】
ところで、上記のようなエクステリア構造物は、塀や門柱として使用されるが、玄関前等において機能的に使用されていない。つまり、玄関前には、ポスト、インターフォン等が備えられているが、これらポスト、インターフォン等と併せて機能的に使用されていない。
【０００４】
本発明は上記事情に鑑みてなされたもので、玄関前等の玄関近傍において、ポスト、インターフォン等と併せて機能的に使用できる玄関エクステリアシステムを提供することを課題としている。
【課題を解決するための手段】
【０００５】
上記課題を解決するために、請求項１に記載の発明は、例えば図１〜図４に示すように、建物２の玄関近傍に設けられて、玄関近傍のエクステリアを構成する玄関エクステリアシステム１において、
面状に形成された高フェンス５と、この高フェンス５から離間して設けられて、該高フェンス５より低い面状に形成された低フェンス６とを備え、
前記高フェンス５の上端部でかつ前記低フェンス６より高い位置にはインターフォン１０が取り付けられており、
前記低フェンス６の後ろ側には、独立して設置されたポスト１１がその投入口１１ａを前記低フェンス６より高くして設けられるとともに、前記低フェンス６より低いメータボックス１２が設けられていることを特徴とする。
【０００６】
請求項１に記載の発明によれば、高フェンス５の上端部でかつ低フェンス６より高い位置にインターフォン１０が取り付けられているので、低フェンス６が邪魔になることなく、インターフォン１０を使用できる。特に、高フェンス５の前に低フェンス６が重なるように位置した場合でも、インターフォン１０を使用できる。
また、低フェンス６の後ろ側には、独立して設置されたポスト１１がその投入口１１ａを低フェンス６より高くして設けられているので、低フェンス６の上からポスト１１の投入口１１ａを使用でき、さらに、低フェンス６によってポスト１１の投入口１１ａより下の部分、例えばポスト１１の支柱１１ｃ等を隠すことができる。さらに、低フェンス６の後ろ側には、低フェンス６より低いメータボックス１２が設けられているので、メータボックス１２を隠すことができる。
このように、玄関前等の玄関近傍において、ポスト１１、インターフォン１０、メータボックス１２等と併せて高フェンス５と低フェンス６とを機能的に使用できる。
【０００７】
請求項２に記載の発明は、請求項１に記載の玄関エクステリアシステムにおいて、
前記低フェンス６は前記高フェンス５より前方に、該高フェンス５と平行離間して配置されていることを特徴とする。
ここで、「高フェンスより前方」とは、高フェンスより玄関とは反対側のことを意味する。
【０００８】
請求項２に記載の発明によれば、低フェンス６が高フェンス５より前方に、該高フェンス５と平行離間して配置されているので、低フェンス６が高フェンス５によって隠されることがなく、また、高フェンス５は一部が低フェンス６によって隠されても、全てが低フェンス６によって隠されることはない。したがって、両フェンス５，６を外側から見ることができ、両フェンス５，６の遠近感も伴って、立体的な玄関エクステリアを表現できる。
【０００９】
請求項３に記載の発明は、請求項２に記載の玄関エクステリアシステムにおいて、
前記高フェンス５と低フェンス６とは、それらの一部が重なるように左右にずれて配置されており、前記重なっている部分における高フェンス５と低フェンス６との間に、前記ポスト１１が設置されていることを特徴とする。
【００１０】
請求項３に記載の発明によれば、両フェンス５，６の重なっている部分における高フェンス５と低フェンス６との間にポスト１１が設置されているので、外側からはポスト１１の投入口１１ａを使用可能にして投入口１１ａより下の部分、例えばポスト１１の支柱１１ｃ等を低フェンス６によって隠すことができる。また、内側からは高フェンス５によってポスト１１全体を隠すことができる。
【００１１】
請求項４に記載の発明は、例えば図５に示すように、請求項１に記載の玄関エクステリアシステムにおいて、
前記高フェンス５と低フェンス６とは、平面視においてそれらの延長線が交差するようにして配置されていることを特徴とする。
【００１２】
請求項４に記載の発明によれば、高フェンス５と低フェンス６とが、平面視においてそれらの延長線が交差するようにして配置されているので、敷地の玄関近傍に位置する道路１３ａ，１３ｃが平面視において傾斜して交差している場合に、該道路１３ａ，１３ｃに平行に配置でき、道路との配置上のバランスがよくなる。
【００１３】
請求項５に記載の発明は、例えば図６に示すように、請求項１に記載の玄関エクステリアシステムにおいて、
前記高フェンス５と低フェンス６とは、平面視においてそれらの延長線が直交するようにして配置されていることを特徴とする。
【００１４】
請求項５に記載の発明によれば、高フェンス５と低フェンス６とが、平面視においてそれらの延長線が直交するようにして配置されているので、例えば、敷地の角部に両フェンス５，６を設置する場合に有利である。
【００１５】
請求項６に記載の発明は、例えば図９に示すように、請求項１〜５のいずれか一項に記載の玄関エクステリアシステムにおいて、
前記高フェンス３５と低フェンス３６とは、平面視において湾曲して形成されていることを特徴とする。
【００１６】
請求項６に記載の発明によれば、両フェンス３５，３６が湾曲しているので、フェンス３５，３６に立体感が生じる。
なお、両フェンス３５，３６を配置する場合、湾曲している凸曲面どうしを対向して配置してもよいし、凸曲面を同じ方向に向けて配置してもよいし、凹曲面どうしを対向して配置してもよい。
【００１７】
請求項７に記載の発明は、請求項１〜６のいずれか一項に記載の玄関エクステリアシステムにおいて、
前記高フェンス５と低フェンス６とには、それぞれの厚さ方向に貫通する開口７ａが複数形成されていることを特徴とする。
【００１８】
請求項７に記載の発明によれば、両フェンス５，６に開口７ａが複数形成されているので、これら開口７ａによって通風性を確保できる。
【発明の効果】
【００１９】
本発明によれば、高フェンスと、この高フェンスから離間して設けられて、該高フェンスより低低フェンスとを備え、高フェンスの上端部でかつ前記低フェンスより高い位置にはインターフォンが取り付けられており、低フェンスの後ろ側には、独立して設置されたポストがその投入口を前記低フェンスより高くして設けられるとともに、前記低フェンスより低いメータボックスが設けられているので、玄関前等の玄関近傍において、ポスト、インターフォン、メータボックス等と併せて高フェンスと低フェンスとを機能的に使用できる。
【発明を実施するための最良の形態】
【００２０】
以下図面を参照して本発明の実施の形態について説明する。
図１〜図４は、本発明に係る玄関エクステリアシステムの実施の形態の一例を示すもので、図１は玄関エクステリアシステムの正面図、図２は同側面図、図３は同平面図、図４は住宅の玄関とともに玄関エクステリアシステムを示す平面図である。
【００２１】
これらの図に示すように、玄関エクステリアシステム１は、建物２の玄関３の近傍に設けられている。この玄関エクステリアシステム１は、面状に形成された高フェンス５と、この高フェンス５から離間して設けられて、該高フェンス５より低い面状に形成された低フェンス６とを備えている。
高フェンス５と低フェンス６とは、左右の長さがほぼ等しくなっており、高さは高フェンス５が１．５ｍ程度、低フェンス６が１．０ｍ程度になっている。また、低フェンス６は高フェンス５より前方に、該高フェンス５と平行離間して配置されており、さらに、高フェンス５と低フェンス６とは、それらの一部が重なるように左右にずれて配置されている。
【００２２】
高フェンス５および低フェンス６は、多数の横材７と２本の縦材８とによって構成されている。横材７および縦材８は、セルロース系微粉粒と樹脂とを混合して押出成形した四角筒状のものであり、その内部には金属製の補強材が挿入されている。
多数の横材７は、ほぼ水平にかつ上下に所定間隔をもって配置され、フェンス５，６の前面部を構成している。多数の横材７の左右両端部にそれぞれ縦材８，８が鉛直に配置され、この縦材８，８に多数の横材７の両端部が固定されている。また、縦材８，８の下端部は地盤に埋設されており、これによって両フェンス５，６は地面上に自立している。
【００２３】
前記セルロース系微粉粒は、例えば、廃材等の木材の粗粉砕物、バカスの祖粉砕物、稲藁の粗粉砕物等における各種植物細胞体の原料材粗粉砕物を出発原料とし、これを磨砕処理することによって得ることができる。
また、前記樹脂は、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂が、成形部材を形成するには好適である。また、樹脂は廃材の樹脂から得るようにしてもよい。
このように、横材７および縦材８はセルロース系微粉粒と樹脂とを混合して押出成形したものであるので、防水性、防腐性や木質感を付与することができる。また、押出成形したものであるので、内部に押出成形の際に容易に空洞部を形成でき、軽量化を図ることができるとともに、空洞部に補強材を挿入することによって、横材７および縦材８の補強を行える。
また、前記高フェンス５および低フェンス６は、上下に所定間隔で配置された多数の横材７を備えているので、上下に隣り合う横材７，７間は、フェンスの厚さ方向に貫通する開口７ａとなっており、これら開口７ａによって通風性を確保できる。
【００２４】
前記高フェンス５の前面上端部でかつ低フェンス６より高い位置には、インターフォン１０が取り付けられている。また、インターフォン１０は高フェンス５の前面上端部でかつ左側に取り付けられている。
さらに、低フェンス６の後ろ側には、独立して地面に設置されたポスト１１がその投入口１１ａを低フェンス６より高くして設けられている。ポスト１１は、アルミ等の金属で形成されたものであり、はがき等の郵便物が投入されるポスト本体１１ｂと、このポスト本体１１ｂを下方から支持する支柱１１ｃとから構成されており、この支柱１１ｃの下端部が地盤に埋設されることによって、ポスト１１は独立して地面に設置されている。また、ポスト１１は高フェンス５と低フェンス６との重なっている部分において、該高フェンス５と低フェンス６との間に設置されている。
また、前記低フェンス６の後ろ側には、低フェンス６より低いメータボックス１２が設けられている。メータボックス１２は、ガスメータ、電気メータ等が集中して収納されるものであり、ＳＵＳ等の金属によって形成されている。
【００２５】
上記のような構成の玄関エクステリアシステム１は、図４に示すように、建物２の玄関３の斜め前方に配置される。この場合、玄関エクステリアシステム１の両フェンス５，６は道路１３ａとほぼ平行に配置される。そして、前側に配置されている低フェンス６の左側には、所定間隔をおいて境界フェンス１４が設置されている。この境界フェンス１４は高さが７５０ｃｍ程度であり、低フェンス６より低くなっている。また、低フェンス６の右側には、境界フェンス１５が道路１３ｂに沿って設置されている。この境界フェンス１５も高さが７５０ｃｍ程度であり、低フェンス６より低くなっている。なお、境界フェンス１４，１５は、支柱を所定間隔で設置するとともに、隣り合う支柱間に横材を架設してなるものであり、支柱や横材もセルロース系微粉粒と樹脂とを混合して押出成形して形成されている。
【００２６】
本実施の形態によれば、高フェンス５の上端部でかつ低フェンス６より高い位置にインターフォン１０が取り付けられているので、低フェンス６が邪魔になることなく、インターフォン１０を使用できる。また、低フェンス６の後ろ側には、独立して設置されたポスト１１がその投入口１１ａを低フェンス６より高くして設けられているので、低フェンス６の上からポスト１１の投入口１１ａを使用でき、さらに、低フェンス６によってポスト１１の投入口１１ａより下の部分、つまり支柱１１ｃを隠すことができる。さらに、低フェンス６の後ろ側には、低フェンス６より低いメータボックス１２が設けられているので、メータボックス１２を隠すことができる。
このように、玄関前等の玄関近傍において、ポスト１１、インターフォン１０、メータボックス１２等と併せて高フェンス５と低フェンス６とを機能的に使用できる。
【００２７】
また、低フェンス６が高フェンス５より前方に、該高フェンス５と平行離間して配置されているので、低フェンス６が高フェンス５によって隠されることがなく、また、高フェンス５は一部が低フェンス６によって隠されても、全てが低フェンス６によって隠されることはない。したがって、両フェンス５，６を外側（道路１３ａ側）から見ることができ、両フェンス５，６の遠近感も伴って、立体的な玄関エクステリア１を表現できる。
さらに、両フェンス５，６が木質感を備えており、ポスト１１、メータボックス１２が金属製であるので、木材の暖かさのあるテクスチャーを出しながらシャープでモダンな印象を可能にしたファザード空間を演出できる。
また、両フェンス５，６の重なっている部分における高フェンス５と低フェンス６との間にポスト１１が設置されているので、外側からはポスト１１の投入口１１ａを使用可能にして投入口１１ａより下の部分の支柱１１ｃを低フェンス６によって隠すことができる。また、内側からは高フェンス５によってポスト全体を隠すことができる。
【００２８】
また、図５に示すように、玄関エクステリアシステム１の高フェンス５と低フェンス６とは、平面視においてそれらの延長線が交差するようにして配置してもよい。この場合、低フェンス６が道路１３ｃと平行に配置されるとともに、高フェンス５が道路１３ａと平行に配置されている。このように、配置することによって、敷地の玄関近傍に位置する道路１３ａ，１３ｃが平面視において傾斜して交差している場合に、高フェンス５と低フェンス６とを路１３ａ，１３ｃに平行に配置でき、道路との配置上のバランスがよくなる。
【００２９】
さらに、図６に示すように、玄関エクステリアシステム１を、高フェンス５と低フェンス６とが、平面視においてその延長線が直交するようにして配置することによって、敷地の角部に両フェンス５，６を設置する場合に有利である。そして、境界フェンス１４を高フェンス５の延長線と直角に配置するとともに、境界フェンス１５を低フェンス１５と直角に配置することによって、玄関エクステリアシステム１と、境界フェンス１４，１５との一体感を得ることができる。
【００３０】
なお、本実施の形態では、玄関エクステリアシステム１を、図１〜図３に示すような高フェンス５と低フェンス６を備えた構成としたが、これらフェンス５，６に代えて、図７〜図８に示すようなフェンスとしてもよい。
図７に示す高フェンス１５および低フェンス１６は、その上端部が斜めにカットされたものであり、シャープなイメージを演出できる。
図８に示す高フェンス２５および低フェンス２６は、その下端部に２本の脚２５ａ，２６ａを備えたものである。
図９に示す高フェンス３５および低フェンス２６は、平面視において湾曲して形成されたものであり、両フェンス３５，３６が湾曲しているので、フェンス３５，３６に立体感が生じる。
また、本実施の形態では、両フェンス５，６を多数の横材７と２本の縦材８とによって構成した面状のものとしたが、これに限ることなく、両フェンスは、金属、樹脂、コンクリート、ブロック等によって構成された面状のもの、また、これら素材を組み合わせた面状のもの、さらには、厚さ方向に貫通する複数の開口を備えた面状のもの等でもよい。
また、高フェンス５，１５，２５，３５と低フェンス６，１６，２６，３６を平行に配置したが、これら両フェンスを直角に配置してもよいし、延長線が斜めに交わるようにして配置してもよい。
【図面の簡単な説明】
【００３１】
【図１】本発明に係る玄関エクステリアシステムの実施の形態を示すもので、玄関エクステリアシステムの正面図である。
【図２】同、玄関エクステリアシステムの側面図である。
【図３】同、玄関エクステリアシステムの平面図である。
【図４】同、住宅の玄関とともに玄関エクステリアシステムを示す平面図である。
【図５】同、玄関エクステリアシステムの両フェンスを交差させて配置した状態を示す平面図である。
【図６】同、玄関エクステリアシステムの両フェンスを直交させて配置した状態を示す平面図である。
【図７】同、両フェンスの上端部が斜めにカットされた玄関エクステリアシステムを示す斜視図である。
【図８】同、両フェンスの下端部に脚を備えた玄関エクステリアシステムを示す斜視図である。
【図９】同、両フェンスが湾曲した玄関エクステリアシステムを示す斜視図である。
【符号の説明】
【００３２】
１  玄関エクステリアシステム
２  建物
３  玄関
５，１５，２５，３５  高フェンス
６，１６，２６，３６  低フェンス
７ａ  開口
１０  インターフォン
１１  ポスト
１１ａ  投入口
１２  メータボックス
【図１】
2008038350.tif 000003
【図２】
2008038350.tif 000004
【図３】
2008038350.tif 000005
【図４】
2008038350.tif 000006
【図５】
2008038350.tif 000007
【図６】
2008038350.tif 000008
【図７】
2008038350.tif 000009
【図８】
2008038350.tif 000010
【図９】
2008038350.tif 000011